(57)【要約】本発明は、コンピュータの組版ファイルを作成及び開く方法に関する。コンピュータの組版ファイルを作成する方法は、目前の環境でのワードプロセッサドキュメントのプリントスプールファイルの内容を、写真に変換し、写真の量、写真のフォーマット、及び写真のストレージポジションという相関情報を説明する組版ファイル情報を作成し、前記写真と前記組版ファイル情報とを、組版ファイルとしてカプセル化するステップを含む。当該方法は、２つの作成方法を提供します。写真の組版ファイルだけを保存するという作成方法一及びドキュメントデータと写真の組版ファイルを保存するという作成方法二である。コンピュータの組版ファイルを開く方法は、ファイルのヘッダ情報を読み込み、ファイルのページ総数を獲得し、前記ファイルのヘッダ情報とファイルのページ総数の解析によって、組版ファイル中の写真を読み込んで表示するステップを含む。該方法は、２つの開くモードを提供します。リードオンリー方式或いは編集方式で組版ファイルを開く。
2009522626.tif 000002
【特許請求の範囲】
【請求項１】
目前の環境でのワードプロセッサドキュメントのプリントスプールファイルの内容を写真に変換するステップＡ２０と、
写真の量、写真のフォーマット、及び写真のストレージポジションという相関情報を説明する組版ファイル情報を作成するステップＡ３０と、
前記写真と前記組版ファイル情報を、組版ファイルとしてカプセル化するステップＡ４０とを含む、ことを特徴とするコンピュータの組版ファイルを作成する方法。
【請求項２】
前記ステップＡ２０は、具体的に、
目前の環境でのワードプロセッサドキュメントのプリントスプールファイルの個々のページの内容を対応した個々のページの写真に転換する、ことを特徴とする請求項１に記載のコンピュータの組版ファイルを作成する方法。
【請求項３】
前記ステップＡ２０は、具体的に、
目前の環境でのワードプロセッサドキュメントのプリントスプールファイルの全部の内容を対応した一枚の写真に転換する、ことを特徴とする請求項１に記載のコンピュータの組版ファイルを作成する方法。
【請求項４】
前記ステップＡ３０の組版ファイル情報は、写真のサイズ、写真のフォーマット、写真の標識、写真のストレージポジションという相関情報を保存しているファイルのヘッダ情報と、組版ファイルのサイズを反映するページ総数情報とを含む、ことを特徴とする請求項１に記載のコンピュータの組版ファイルを作成する方法。
【請求項５】
前記ステップＡ２０と前記ステップＡ３０との間に、更に、前記写真をカラー、黒白、灰度或いはウォーターマークの形式で保存できるように、前記写真を圧縮処理するステップ及び／又は前記写真の表示パラメータを設定するステップを含む、ことを特徴とする請求項１に記載のコンピュータの組版ファイルを作成する方法。
【請求項６】
更に、ページ総数情報を快速に作成できるように、ワードプロセッサドキュメントのページ総数をカウントするステップを含む、ことを特徴とする請求項１から５のいずれかに記載のコンピュータの組版ファイルを作成する方法。
【請求項７】
更に、組版ファイルの属性説明エリアを設定するステップを含み、同時に、属性説明エリアに、プレーンテキストの形式で、組版ファイルの内容検索用の文字内容を保存するステップを含む、ことを特徴とする請求項１から５のいずれかに記載のコンピュータの組版ファイルを作成する方法。
【請求項８】
更に、組版ファイルの縮微図説明エリアを設定するステップを含み、同時に、前記写真を、組版ファイルのページ番号検索用の個々のページの縮微図に転換して、縮微図説明エリアに保存するステップを含む、ことを特徴とする請求項１から５のいずれかに記載のコンピュータの組版ファイルを作成する方法。
【請求項９】
更に、ウェブに嵌め込まれて実行できる組版ファイルの閲読器を、組版ファイルとしてカプセル化して保存するステップを含む、ことを特徴とする請求項１から５のいずれかに記載のコンピュータの組版ファイルを作成する方法。
【請求項１０】
更に、前記ワードプロセッサドキュメントのデータ内容を、組版ファイルのドキュメントデータとして保存するステップを含む、ことを特徴とする請求項１から５のいずれかに記載のコンピュータの組版ファイルを作成する方法。
【請求項１１】
ファイルのヘッダ情報を読み込むステップＢ１０と、
ファイルのページ総数を獲得するステップＢ２０と、
前記ファイルのヘッダ情報とファイルのページ総数の解析によって、組版ファイル中の写真を読み込んで表示するステップＢ３０とを含む、ことを特徴とするコンピュータの組版ファイルを開く方法。
【請求項１２】
前記ステップＢ３０の組版ファイルの写真を読み取るステップは、更に、前記写真を解凍処理するステップを含む、ことを特徴とする請求項１１に記載のコンピュータの組版ファイルを開く方法。
【請求項１３】
前記ステップＢ３０の組版ファイルの写真を表示するステップは、更に、前記写真をカラー、黒白、灰度或いはウォーターマークの形式で表示できるように、前記写真の表示パラメータを設定するステップを含む、ことを特徴とする請求項１１に記載のコンピュータの組版ファイルを開く方法。
【請求項１４】
更に、前記組版ファイルの縮微図説明エリアの中のページ番号検索用の個々のページの縮微図を読み込むステップを含む、ことを特徴とする請求項１１に記載のコンピュータの組版ファイルを開く方法。
【請求項１５】
更に、組版ファイルに組版ファイルの閲読器が付加されているかを調べるステップを含み、組版ファイルの閲読器が付加されている場合、前記組版ファイルの閲読器を実行し、前記組版ファイルの写真を前記組版ファイルの閲読器にロードするステップを含む、ことを特徴とする請求項１１から１４のいずれかに記載のコンピュータの組版ファイルを開く方法。
【請求項１６】
更に、組版ファイルに組版ファイルのドキュメントデータが保存されているかを調べるステップを含み、組版ファイルのドキュメントデータが保存されている場合、編集方式で組版ファイルの命令を開き、
空白ワードプロセッサドキュメントを新規作成するステップＣ３０と、
組版ファイルのドキュメントデータを読み込むステップＣ４０と、
ドキュメントデータを前記ワードプロセッサドキュメントに入力して、配置と植字を行うステップＣ５０を実行する、ことを特徴とする請求項１１から１４のいずれかに記載のコンピュータの組版ファイルを開く方法。
【発明の詳細な説明】
【技術分野】
【０００１】
本発明は、コンピュータワードプロセッサファイルの処理方法に関し、特にコンピュータの組版ファイルを作成及び開く方法に関する。
【背景技術】
【０００２】
文字編集、テーブル処理、及びグラフィックの混ぜられた文字植字のためのツールとしてのワードプロセッサのソフトは、政府、企業、及び個人的なオフィスに広いアプリケーションを見出しました。例えば、いくつかのアプリケーション機会において、政府が公文書を作り、出版する時には、違う植字メカニズムにより、違うソフトウェアまたは同じソフトウェアで作られた文書が、時々、生み出された違うディスプレイとプリント効果であることがある。たとえ文書が、同じソフトウェアと植字メカニズムを使うことによって作られても、それらが違うプリントにエキスポートされる時には、プリント結果はまた時々違うでしょう。
【０００３】
上記の問題を結果として生じる理由は、ワードプロセッサのソフトウェアが種々の方法を、文字、グラフィックス、テーブルなどのオブジェクトに適用することである。文字はストリーム指向の潅漑と排水方法に従って一語一語手配される。グラフィックスのオブジェクトは種々の植字方法に従って突き止められる。ページマージンへの水平の距離及び垂直の距離に従ってグラフィックスのうちのいくつかが突き止められることがある。グラフィックスが置かれるパラグラフの錨ポイントに従ってグラフィックスのうちのいくつかがパラグラフに相対突き止められこともある。テーブルの場合はまた、グラフィックスと同じです。ワードプロセッサは文字配置のプロセスに大いに複雑である。文字配置の効果に直接影響するファクターは次の通りです。
【０００４】
１、句読点：句読点プロセスが、より調和する文字と句読点、句読点を手配することはしばしば圧縮される。異なるポジションとことなる句読点によって、圧縮方式も違います。例えば、前置する句読点とか、後置する句読点とか、中国語で句読点の処理習慣などである。
【０００５】
２、文字：種々の文字が表示すると、外観は違い、特にアルファベット文字、漢字の文字幅は一般に等しいですが、アルファベットはフォントのデザインによって違います。例えばアルファベット文字「Ｉ」と「Ｗ」の差が非常に大きいからである。
【０００６】
３、フォント：同じ文字は違うフォントで表示すると外観も違います。例え「宋体」と「楷体」のフォントが表示不同。
４、改行ルール：英文と漢字の改行ルールが違います。
【０００７】
５、文字間隔：文字と文字の間隔は文字によって違います。英文文字と英文文字、英文文字と中文文字、英文文字と数字などの間隔もそれぞれ違います。
６、行間：行間は垂直方向に表わされている。行間は、段落間隔、段落前間隔、段落後間隔及び文字の高さ、位置の影響に与えられる。
【０００８】
７、グリッドセット：オブジェクトアラインメントのために、グリッドセットを補助ツールとして利用し、そして、グリッドは直接文字定位する。
８、垂直植字：垂直植字のルール、規則、及び方向の違いのため、表示は違います。
【０００９】
９、プリント或いはドライバーによって、プリント結果も違います。
異なるＯＳ、環境設定（解像度、フォントのサイズなど）などの他のファクターでもフォントの位置に影響を与えます。また、ワードプロセッサはバージョンのアップグレードによって、機能などどんどん改善され、新しい機能など追加された場合もドキュメントの水平や垂直の配置或いはオブジェクトの定位に、直接的に又は間接的に影響している。もしくは、植字の計算方法が変わったので、植字結果の相違を引き起こす。新バージョンで古いバージョンで作ったファイルを開くとき、組版表示の差が出てだけじゃなくて、プリントーアウトにもっと効果差異があります。
【００１０】
ドキュメントの組版形式とプリントの結果きっと一致しているのを確保することができないという上述技術の欠陥は、ワープロソフトの更に深いアプリケーションを持ってくるのに困難を与えた。例えば、法律書類は、変更の不可能性、一致性及び組版形式の美観性などの厳格な要求を持っていて、そのファイルにいかなる情況の下に皆同じプリントの効果があるように求めて、明らかに従来技術がこのような要求を満たすことができないことがある。そのため、従来技術が、二方面の技術の難題に直面することがあって、その一として、どのようにワープロソフトにドキュメントを保存させていることがそのバージョンの影響を受けないで、ドキュメントを組版形式のきっと一致している組版形式のファイルに保存する。その二として、どのように違うバージョンでファイルを開く時に異なっているバージョンのワープロソフトを使用して、プリントの出力の組版形式は完全に一致することを維持することができる。
【発明の開示】
【発明が解決しようとする課題】
【００１１】
本発明の最初の目的は、コンピュータ組版ファイルを作成する方法を提供することである。写真のフォーマットで目前の環境でのワードプロセッサドキュメントのプリントスプールファイルの内容が保存されているので、作成された組版ファイルのディスプレイとプリント効果を、違うオペレーティングシステム及び違う環境コンフィギュレーションで一貫しているようにしておくためである。一層のオブジェクトは、作成された組版ファイルに、内容の検索、サーチ、ページ番号の定位、編集、または査閲などの実用的な機能を身に付けさせて、同時に、最大限で、上記組版ファイルのストレージスペースを減らすためである。
【００１２】
本発明の第二目的は、コンピュータの組版ファイルを開く方法を提供し、組版ファイルに保存されている写真の読取かつ表示によって、上記組版ファイルが同じ表示とプリント効果を保証することである。もう一歩進む目的は、開いた組版ファイルに、内容の検索、サーチ、ページ番号の定位、編集、または査閲などの実用的な機能を身に付けさせて、また、編集方式で開く命令によって、元ファイルを編集続けることである。
【課題を解決するための手段】
【００１３】
本発明の最初の目的を実現するため、コンピュータの組版ファイルを作成する方法を提供し、そのステップは、以下の通り：
ステップＡ２０、目前の環境でのワードプロセッサドキュメントのプリントスプールファイルの内容を、写真に変換する。
【００１４】
ステップＡ３０、写真の量、写真のフォーマット、及び写真のストレージ（メモリ）ポジションという相関情報を説明する組版（組版式）ファイル情報を作成する。
ステップＡ４０、前記写真と前記組版ファイル情報を、組版ファイルとしてカプセル化する。
【００１５】
具体的に、ステップＡ２０は、目前の環境でのワードプロセッサドキュメントのプリントスプールファイルの個々のページの内容を、対応した個々のページの写真に転換するの
であるし、目前の環境でのワードプロセッサドキュメントのプリントスプールファイルの全部の内容を、対応した一枚の写真に転換するのである。好ましくて、前記写真をカラー、黒白、灰度或いはウォーターマークの形式で保存できるように、前記写真を圧縮処理するステップ及び／又は前記写真の表示パラメータを設定する。上記組版ファイル情報は、写真のサイズ、写真のフォーマット、写真の標識、写真のストレージポジションという相関情報を保存しているファイルのヘッダ情報（首情報）と、組版ファイルのサイズを反映するページ総数情報を含む。
【００１６】
上記技術方案には、更に、ページ総数情報を快速に作成できるように、ワードプロセッサドキュメントのページ総数をカウントするステップを含むことができるし、組版ファイルの属性説明エリアを設定するステップを含み、同時、属性説明エリアに、プレーンテキストの形式で、組版ファイルの内容検索用の文字内容を保存するステップを含むことができる。更に、組版ファイルの縮微図説明エリアを設定するステップを含み、同時に、前記写真を、組版ファイルのページ番号検索用の個々のページの縮微図に転換して、縮微図説明エリアに保存するステップを含むことができる。更に、ウェブに嵌め込まれて実行できる組版ファイルの閲読器（reader）を、組版ファイルにカプセル化して保存するステップを含むことができる。更に、前記ワードプロセッサドキュメントのデータ内容を、組版ファイルのドキュメントデータと保存するステップを含むことができる。
【００１７】
本発明の第二目的を実現するために、本発明は、コンピュータの組版ファイルを開く方法を提案しました。以下のステップが含まれる：
ステップＢ１０、ファイルのヘッダ情報を読み込む。
【００１８】
ステップＢ２０、ファイルのページ総数を獲得する。
ステップＢ３０、前記ファイルのヘッダ情報とファイルのページ総数の解析によって、組版ファイル中の写真を読み込んで表示する。
【００１９】
上記ステップＢ３０には、更に、前記写真を解凍（解圧縮）処理するステップを含むことができるし、前記写真をカラー、黒白、灰度或いはウォーターマークの形式で表示できるように、前記写真の表示パラメータを設定するステップを含むことができる。
【００２０】
上述技術方案の中で、更に、前記組版ファイルの縮微図説明エリアの中のページ番号検索用の個々のページの縮微図を読み込むステップを含むことができて、更に、組版ファイルに組版ファイルの閲読器が付加されているかを調べるステップを含み、組版ファイルの閲読器が付加されている場合、前記組版ファイルの閲読器を実行し、前記組版ファイルの写真を前記組版ファイルの閲読器にロードするステップを含むことができる。いっそう、更に、組版ファイルに組版ファイルのドキュメントデータが保存されているかを調べるステップを含み、組版ファイルのドキュメントデータが保存されている場合、編集方式で組版ファイルの命令を開き、以下のステップを実行する：
ステップＣ３０、空白ワードプロセッサドキュメントを新規作成する；
ステップＣ４０、組版ファイルのドキュメントデータを読み込む；
ステップＣ５０、ドキュメントデータを前記ワードプロセッサドキュメントに入力して、配置と植字を行うステップＣ５０を実行する。
【００２１】
本発明にかかるコンピュータの組版ファイルを作成する方法及び開く方法の技術構想は、以下の通りである。写真が固定されたフォーマットであり、編集できないディスプレイフォーマットであり、そのディスプレイとプリント効果がいつもの状態を違うオペレーティングシステム及び違う環境コンフィギュレーションで一貫していて保つことです。本発明は、写真フォーマットのこの特徴を器用に利用し、目前の環境でのワードプロセッサドキュメントのプリントスプールファイルの内容を写真のフォーマットで保存する。その結
果、いつもディスプレイとプリント効果が一貫している組版ファイルは作成されます。同時に、違うオペレーティングシステム及び違う環境コンフィギュレーションにおいて、それが、組版ファイルの写真を読み、表示することによって、開かれる時に組版ファイルが同じディスプレイとプリント効果を提供されることが作られます。
【００２２】
本発明にかかるコンピュータの組版ファイルを作成する方法は、いつも、写真フォーマットのディスプレイとプリント効果が目前の環境の下のワードプロセッサドキュメントのプリントスプールファイルのコンテンツを器用に写真フォーマットで保存するために、違うオペレーティングシステム及び違う環境コンフィギュレーションで一貫しているようにしておく特徴を利用します。単に本発明及びいつもワードプロセッサドキュメントのフォーマットを一貫しているようにしておくことを実施できる組版ファイルを作成する方法を効果的に提供します。本発明の技術の解決は、組版ファイルを作成するための２つのモードを提供します。
【００２３】
作成方法一、写真の組版ファイルだけを保存する。上記組版ファイルには、写真を保存すると、組版の効果が一致することも保証できます。
作成方法二、ドキュメントデータと写真の組版ファイルを保存します。上記組版ファイルには、ドキュメントデータ及び写真を保存する。この方法で作成した組版ファイルのためには、異なる打開命令を設定し、ドキュメントデータと写真をそれぞれ開くことができる。
【００２４】
組版ファイルの作成手続は、組版ファイルの属性に、プレーンテキストの文字内容を保存することの手続を含み、個々のページの縮微図を保存することの手続も含む。例えば、組版ファイルの内容検索、サーチ、組版ファイルのページ番号の定位、その内容を編集するか、または参照などの実用的な機能の拡張を実現する。上記組版ファイルが作成されると同時に、ウェブに嵌め込まれて運行の可能性がある組版ファイルの閲読器が同時に保存される。本発明の方法により作成された組版ファイルを使い、組版ファイルの閲読器と結合することによって、ディスプレイ効果が完全に一貫している組版ファイルを、インターネットに配付できます。従って、本発明は、組版ファイルをインターネットに配付するスーパー優秀方法を提供します。さらに、本発明の組版ファイルの作成手続において、上記写真の圧縮処理及び／又はディスプレイパラメータの設定を採用し、再現で、組版ファイルのストレージスペースを減らすためである。
【００２５】
本発明にかかるコンピュータの組版ファイルを開く方法は、組版ファイルに保存された写真を使って、上記写真を一つずつ読み込むのを通じて、写真フォーマットのディスプレイとプリント効果が違うオペレーティングシステム及び違う環境コンフィギュレーションで一貫しているようにしておく組版ファイルと特徴を利用して、単にかつ効果的に組版ファイルに、同じディスプレイとプリント効果を備えさせる開く方法を提供する。  本発明の技術方案は、２つの開くモードを提供する。
【００２６】
開くモード１：組版ファイルをリードオンリー方式で開く。その開くモードとして、組版ファイルの写真のみを取り込む。開いた後、組版ファイル内容を査閲しかできませんが、編集できません。しかし、デジタル署名、電子シール或いはコメントなどを挿入できる。
【００２７】
開くモード２：組版ファイルを編集形式で開く。その開くモードとして、組版ファイルのドキュメントデータのみを読み込む。標準の植字流れの通り、上記ドキュメントデータをドキュメントに灌ぎ込んで、植字と表示を行うと、ユーザーが、勝手に内容或いは写真を編集できる。
【００２８】
組版ファイルを開く方法は、組版ファイルの属性に保存されたプレーンテキストの内容を読み込むのを含むことができるし、組版ファイルの個々のページの縮微図を読み込むのも含むことができる。組版ファイルを開いた後に、例えば、内容検索、サーチ、組版ファイルのページ番号の定位、その内容の編集、査閲などの実用的な機能を実現する。上記組版ファイルが開かれる時には、組版ファイルにおいて組版ファイルの閲読器が付加されるかどうかを調べることができる。もし組版ファイルの閲読器がある場合、上記組版ファイルの閲読器を実行し、上記組版ファイルの写真を上記ファイルの閲読器にロードする。本発明は、組版ファイルの閲読器を利用して、ウェブ環境の下にディスプレイ効果が完全に一貫している組版ファイルを開くことができる。本発明に、インターネットで、組版ファイルを開くための機能を備えさせる。
【００２９】
なお、本発明の組版ファイルの作成手続において、圧縮処理及び／又は上記写真のディスプレイパラメータを設定することを実行しているステップを採用して、カラー、黒白、灰度或いはウォーターマークなどの形式で、上記写真を保存することができる。開く手続において、解凍処理及び／又は上記写真のディスプレイパラメータを設定することを採用して、種々のユーザーの種々のニーズを満たすようにする。
【００３０】
次のように、図面及び具体的な実施例を結合して、本発明に対して更に詳しく説明する。
【発明を実施するための最良の形態】
【００３１】
本発明の技術方案をよりはっきりと説明するために、本発明と関連した相関的な用語解説が、下記説明で必要である。
普通ファイル：ワードプロセッサソフトが既定されたファイルの保存形式であり、例えばＭｉｃｒｏｓｏｆｔ  Ｗｏｒｄは既定したファイル保存形式が＊．ｄｏｃである。また、普通ファイルは他のワードプロセッサソフトの保存形式である。
【００３２】
組版ファイル：ワードプロセッサソフトにプリント一致の特別なファイルであり、このファイルを違うソフトウェア又はハードウェアの場合で、何時までも、同じプリント効果を保持できる。普段、ワードでそんなファイルを開くと、その表示効果も同じで、元の内容の編集ができませんが、デジタル署名、電子シールやコメントを挿入できる。
【００３３】
編集できる組版ファイル：同時に組版と元データを保存するワードプロセッサドキュメントである。開くと、元内容を続けて編集できて、保存する時、自動的に組版データを更新する。
【００３４】
内容検索できる組版ファイル：組版ファイルに基づいて、組版ファイルを保存する時、同時にファイルにあるテキスト内容をファイルプロパティに保存し、組版ファイルの全文を検索し易くするためである。
【００３５】
縮微図（Zoom out Image）：ページにおいて表示された内容は、縮小されて写真として、速く便利でページ番号を突き止めているためである。
プリンタスプールファイル（Printer Spool File）：ワードプロセスソフトウェアが、ワードプロセッサドキュメントをプリントする時には、コンピュータのオペレーティングシステムにより、コンピュータの中で作成されたテンポラリファイルは、プリントされたファイルを、特別な強化されたメタファイルフォーマットを使ってテンポラリファイルにコピーする。プリントスプールファイルが作成された後に、ワードプロセスソフトウェアは、背景で、プリントスプールファイルをプリンタに送ることができる。従って、プリントスプールファイルは、ソフトウェアとハードウェアとを設定することを含む具体的な環境で、プリントされた結果である。
【００３６】
図１は本発明にかかるコンピュータの組版ファイルを作成する方法のフローチャートである。
ステップＡ２０、目前の環境の下で、ワードプロセッサドキュメントのプリントスプールファイルの内容を写真に変換する。
【００３７】
ステップＡ３０、写真の量、写真のフォーマット、及び写真のストレージポジションを含む相関的な情報を説明する組版ファイル情報を作成する。
ステップＡ４０、上記写真及び上記組版ファイル情報を、組版ファイルとしてカプセル化する。
【００３８】
本発明は、写真フォーマットのディスプレイとプリント効果が違うオペレーティングシステム及び違う環境コンフィギュレーションで、一貫しているようにしておく特徴を器用に利用し、目前の環境の下で、ワードプロセッサドキュメントのプリントスプールファイルの内容を、写真フォーマットに変換して保存するので、単にかつ有効にコンピュータの組版ファイルを作成する方法を提供する。中には、上記写真は、ワードプロセッサドキュメントが、目前の環境の下で、プリントスプールファイルの個々のページの内容から変換される個々のページの写真であるし、ワードプロセッサドキュメントが、目前の環境の下で、プリントスプールファイルの全体の内容から変換される１つの写真でもあるかもしれません。後者は、ワードプロセッサドキュメントの組版を完全に正確なフォーマットで保証できる特別な必要なプロセス方法である。上記ステップＡ２０において関連した技術は、みんな従来技術である。それは、信用できること及び情報包括的であるフォーマットを保証する必要があるだけである。
【００３９】
本発明は、組版ファイルを作成することの２つの技術方案を含む。作成モード１は、写真としてあり、組版ファイルを保存するだけで、作成モード２は、文書データと写真としてあり、組版ファイルを保存することである。図２と図３は、２つの作成モードの具体的なプロセス流れをそれぞれ示します。
【００４０】
図２は、本発明にかかるコンピュータの組版ファイルを作成する方法の作成方法一のフローチャートである。
ステップＡ１５、ワードプロセッサドキュメントのページ総数をカウントする。
【００４１】
ステップＡ２０、目前の環境でのワードプロセッサドキュメントのプリントスプールファイルの内容を写真に変換する。
ステップＡ２１、上記写真を圧縮処理及び／又は上記写真の表示ディスプレイパラメータを設定する。
【００４２】
ステップＡ３１、ファイルのヘッダ情報を処理する。
ステップＡ３２、ページ総数の情報を書き込む。
ステップＡ３３、組版ファイルの属性説明エリアを設定し、同時に上記属性説明エリアの中に、テキスト形式で、ワードプロセッサドキュメントの全部の文字内容を保存する。
【００４３】
ステップＡ３４、組版ファイルの縮微図説明エリアを設定し、同時に写真をページ毎の縮微図に変換して、その縮微図説明エリアに保存する。
ステップＡ３５、ウェブに嵌め込まれて運行できる組版ファイルの閲読器をカプセル化して保存する。
【００４４】
ステップＡ４０、上記のステップのすべての情報を組版ファイルとしてカプセル化する。
図２に示すように、本発明の最適化の技術方案において、ステップＡ２０の前には、ワードプロセッサドキュメントのページ総数をカウントするステップＡ１５が含まれているので、本発明は、上記ページ総数の情報に従って、上記写真の変換数とストレージポジションをプリセットできるように、手始めに、上記組版ファイルのサイズを計画して、その後のステップのプロセスレートを速めることができるようにする。ステップＡ３０の組版ファイル情報は、ファイルヘッダ情報とページ総数情報を含む。中には、上記ファイルヘッダ情報には、上記写真のサイズ、フォーマット、識別、ストレージポジションなどの相関情報が保存されている。上記ページ総数情報は、組版ファイルのサイズを反映している相関情報である。
【００４５】
図２に示す本発明にかかる最適化の技術方案において、ステップＡ２１には、上記写真を圧縮処理及び／又は上記写真のディスプレイパラメータを設定するのは、上記写真が、多色、黒く、白い、灰色またはウォーターマーク（water mark）などの形式でプリントされて保存できるので、上記写真のストレージスペースを効果的に減らすことができる。ステップＡ２１は：
（Ａ）圧縮計算法を使って、上記写真を圧縮する。
【００４６】
（Ｂ）解像度を低くして、スクリーンディスプレー用の写真の解像度は９６ｄｐｉになり、プリント用の写真の解像度は２００ｄｐｉになる。
（Ｃ）写真の色の表示方式を変換する。カラー、黒白、灰度及びウォーターマークなどの効果を選択できる。もちろん黒白表示の方はカラーより写真の容量を減らす。
【００４７】
ステップＡ２１を通して、本発明は種々のニーズに従って対応するフォーマルな写真を保存できる。最大限で組版ファイルのストレージスペースを減らすために、写真の容量を効果的に減らす。
【００４８】
図２に示す本発明の最適化の技術方案において、より多くの情報は、組版ファイルの機能をさらに拡張するために、上記組版ファイルにおいて、相関内容を付加するなどのステップによって、付加できる。ユーザーがブラウズすること、及び組版のフォーマットと内容が便利に、急速にファイルを検索するために。ステップＡ３３には、組版ファイルの属性説明エリアを設定し、ワードプロセッサドキュメントの全体の文字内容を、テキストの形式で、属性説明エリアに保存する。特に話すことは、ユーザーが便利に組版ファイルの内容を検索するために、文字内容が組版ファイル属性の「意見フィールド」に保存される。ステップＡ３４には、組版ファイルの縮微図説明エリアを設定して、上記写真を使って成形された個々の縮微図を、上記縮微図説明エリアに保存する。ユーザーは、個々のページの縮微図を通じて、組版ファイルのページ番号を便利に、急速に検索及び突き止めることができる。ステップＡ３５には、組版ファイルが作成される同時に、一緒に、組版ファイルの閲読器を保存する。上記組版ファイルの閲読器は、本発明により作成された組版ファイルを直接開くことができる写真ブラウザである。さらに重要なこととして、上記組版ファイルの閲読器が、本発明により作成された組版ファイルを、ウェブ環境の下の運転の機能によって備えるために、上記組版ファイルをウェブに嵌め込まれる可能性がある。組版ファイルをインターネットに配付するスーパー優秀方法を提供し、本発明のアプリケーションフィールドを拡張する。
【００４９】
インターネットによって情報を配付する従来の方法は、一般に、ワードプロセッサファイルをウェブ（Ｈｔｍｌ）ファイルで保存するけれども、作成されたウェブファイルの組版が、ワードプロセスソフトウェアのオリジナルの組版と違うのである。一貫しているフォーマットを厳密に必要とする公文書などのアプリケーション機会のために、法律についての公文書とまじめさの権威が失われて、要求は完全に満たされているはずがありません。本発明にかかる組版ファイルの閲読器は、ウェブに嵌め込まれて運行する可能性がある
。ディスプレイ効果が完全に一貫している組版ファイルは、本発明の方法により作成された組版ファイルを使い、組版ファイルの閲読器と結合することによってインターネットに配付できる。
【００５０】
見たところ、上記のステップＡ３３、Ａ３４、及びＡ３５は、一定の独立性を持っている。それらは別々に存在できるし、またはどのような組み合わせ及びどのような注文によっても処理の流れに加入できる。
【００５１】
Ａ１５−Ａ４０のステップの処理によって、写真及び必要な組版ファイル情報は、組版効果を、表示する時に、プリントする時に、一貫しているのを保証するために、作成された組版ファイルに保存されている。このストレージモードを持つ組版ファイルが写真だけを保存するので、組版ファイルはブラウズのためのリードオンリー方法で開かれて、ディスプレイ内容の編集なしのコンサルティングであるけれどもデジタル署名、電子シール、注釈などを含む内容が挿入できるだけです。
【００５２】
図３は本発明にかかるコンピュータの組版ファイルを作成する方法の方法二のフローチャートであり、図２の中にステップＡ１０を追加する。ステップＡ１０、上記ワードプロセッサドキュメントのデータ内容を組版ファイルの文書データとして保存する。
【００５３】
図３に例示するような本発明の最適化の技術方案は、本発明をより広いアプリケーション価値によって備えさせて、ユーザーに用法モードの大多数を提供し、増大発達的な個々要件を満たしています。図３に例示するような技術方案は、データ内容と写真を保存している組版ファイルを作成する。当該組版ファイルはデータ及び組版を保存している。当該作成モードにより作成された組版ファイルに、文書データまたは写真をそれぞれ開くことができる種々の打開命令を設定している。もし組版ファイルが、文書データを開く方法で開かれるならば、組版ファイルは、編集されたモードにおいて開かれて、ユーザーは植字し、編集できる。もし組版ファイルが、組版を開く方法で開かれるならば、組版ファイルはリードオンリー方法で開かれて、ユーザーはフォーマット内容を編集できません。見たところ、図３に例示するような技術方案は、一貫している組版の発明オブジェクトを実現しただけではなく、拡張機能を持ち、組版ファイルは編集できる。
【００５４】
図３に例示するようなステップＡ１０−Ａ４０の処理によって、作成された組版ファイルには、写真及び必要なファイル情報が保存されているけれども、ワードプロセッサドキュメントのデータ内容も保存されている。一貫しているフォーマット効果は保証されるけれども、組版ファイルを編集方法で開くための機能は提供されて、ユーザーは植字と編集を実現できる。
【００５５】
図４は本発明に係る写真が組版ファイルに予め保存されたフローチャートである。
ステップＡ２０ａ、ワードプロセッサの第一ページ目を指定する。
ステップＡ２０ｂ、目前の環境でのワードプロセッサドキュメントのそのページのプリントスプールファイルの内容を写真に変換する。
【００５６】
ステップＡ２１、上記写真を圧縮処理し及び／又は上記写真の表示パラメータを設定する。
ステップＡ２２、上記写真をメモリー或いはディスクの中のあるエリアに一時保存する。
【００５７】
ステップＡ２３、次のページに設定し、このページの有無を判断し、このページがない場合、戻って、ステップＡ２０ｂを実行し、このページがある場合、ステップＡ２４を実行します。
【００５８】
ステップＡ２４、写真の予め保存を終了する。
図５は、本発明に係るコンピュータの組版ファイルを開く方法のフローチャートである。
【００５９】
ステップＢ１０、ファイルのヘッダ情報を読み込む。
ステップＢ２０、ファイルのページ総数を獲得する。
ステップＢ３０、ファイルのヘッダ情報とファイルのページ総数の解析によって、組版ファイルの写真を読み込んで表示する。
【００６０】
本発明のコンピュータの組版ファイルを開く方法は、いつも、写真フォーマットのディスプレイとプリント効果が違うオペレーティングシステム及び違う環境コンフィギュレーションで一貫しているようにしておく特徴を十分に利用して、そして、組版ファイルに保存された写真の読み取りによって、組版ファイルに単に同じ組版と有効において表示とプリントを保証させる開く方法を提供する。本発明は、２種類の開く技術方案を含む。開くモード１は組版ファイルをリードオンリー方法で開く必要がある一方、開くモード２は組版ファイルを編集方法で開く必要がある。開くモードの２種類の具体的な処理の流れは、図６と図７においてそれぞれ示されている。
【００６１】
図６は本発明に係るコンピュータの組版ファイルを開く方法の表示の開くモード１のモード一のフローチャートである。
ステップＢ１０、組版ファイルのヘッダ情報を読み込む。
【００６２】
ステップＢ２０、組版ファイルのページ総数を獲得する。
ステップＢ３０、上記ファイルのヘッダ情報とファイルのページ総数を解析する。
ステップＢ３１、ステップＢ３０の相関情報によって空白のワードプロセッサドキュメントを新規作成する。
【００６３】
ステップＢ３２、組版ファイルの一枚目の写真を指定する。
ステップＢ３３、組版ファイルのその写真を読み込む。
ステップＢ３４、上記写真を解凍処理する。
【００６４】
ステップＢ３５、上記写真の表示パラメータを設定する。
ステップＢ３６、上記写真をワードプロセッサドキュメントに挿入する。
ステップＢ３７、組版ファイルの次の写真を指して、写真の有無を判断し、写真がない場合、ステップＢ３９を実行し、写真がある場合、ステップＢ３８を実行する。
【００６５】
ステップＢ３８、改ページ符号を挿入して、ステップＢ３３を実行する。
ステップＢ３９、一枚目の写真を表示する。
ステップＢ１０―Ｂ３９の処理によって、組版ファイル中の写真や必要なファイル情報を完全に読取られて、及び元組版との一致を実現しました。図５のステップＢ３０において、組版ファイルの写真の読み込み及び表示処理は様々な方式で実現する。直接写真の形式で表示できるし、或いは上記写真を対応するドキュメントにロードして、ファイルの写真オブジェクトとして表示できる。図６で表示された最適な技術方案の中、本発明は組版ファイルの写真をワードプロセッサドキュメントにロードした後の読取、表示方法を採用し、またはステップＢ３１で作成されたワードプロセッサドキュメントは、組版ファイルの転換の前に対応しているドキュメントタイプである。この読取方法は、上記写真を同じ実行環境に置くと、もっと直感の効果を持っている。もちろん、この表示方法はリードオンリーの方式であり、参照、検索やプリントだけができますが、内容の編集はできません。しかし、組版以外の地域を編集、例えば、コメントや電子署名などを挿入できる。
【００６６】
図６の最適な技術方案の中、表示とプリントの要求の異なりを考えて、本発明はステップＢ３４とＢ３５を設定しました。読み込まれた上記写真の解凍処理及び表示パラメータの設定は、ユーザーに最大な便利や選択を提供しました。ステップＢ３４の処理の流れは基本的には図２のステップＡ２１の逆流れであり、ステップＢ３５は、上記写真をカラー、黒白、灰度或いはウォーターマークの形式で表示及びプリントできる。
【００６７】
図６の最適な技術方案において、組版ファイルを開く手続、またその中で、組版ファイルに付加された他の情報が同時に読まれて、ユーザーのブラウズが過ぎることに続いていることと、検索の操作を実行するのにデータを提供するために、上記組版ファイルの属性において、プレーンテキストという形で保存された内容が読まれる。特に話すことは、プレーンテキストの内容は、組版ファイル属性の「意見」フィールドから読まれて、ユーザーが便利に、組版ファイルの内容を検索するようにする。組版ファイルの個々のページの縮微図が読まれて、ユーザーが個々のページの縮微図を通じて、組版ファイルのページ番号を便利に、急速に突き止めることができるようにする。さらに、組版ファイルが開かれる時に、組版ファイルにおいて組版ファイルの閲読器が付加されるかどうかを調べて、閲読器が付加される場合、上記組版ファイルの閲読器を実行して、上記組版ファイルの写真を、上記組版ファイルの閲読器にロードする。上記組版ファイルの閲読器が、写真ブラウザでもよいし、ページに嵌め込まれると、ウェブ環境で直接組版ファイルを開くことができます。従って、この最適な方案はインターネットで組版ファイルを実行するために良い方法を提供し、本発明のアプリケーションフィールドを拡張しました。上記の処理手続は一定の独立心を持っています。それらは図６に例示するように流れにそれぞれ参加されているかもしれないが、またはどのような組み合わせ及びどのような注文によっても本発明の組版ファイルを開くための処理の流れに参加させることもできます。
【００６８】
図６で表示されたフローチャートの中、ステップＢ３６では、挿入された写真を「文字の上方で浮かぶ」に設定できる。ステップＢ３９では、ドキュメントをリードオンリー状態に設定できます。
【００６９】
図７は本発明にかかるコンピュータの組版ファイルを開く方法の開くモード２のフローチャートである。
ステップＣ１０、組版ファイルに組版ファイルのドキュメントデータが保存されているかを調べて、ドキュメントデータが保存されていない場合、ステップＢ１０を実行し、ドキュメントデータが保存されている場合、ステップＣ２０を実行する。
【００７０】
ステップＣ２０、開く方法を確認し、組版ファイルを編集方式で開くなら、ステップＣ３０を実行し、組版ファイルをリードオンリー形式で開くなら、ステップＢ１０を実行する。
【００７１】
ステップＣ３０、空白ワードプロセッサドキュメントを新規に作成する。
ステップＣ４０、組版ファイルのドキュメントデータを読み込む。
ステップＣ５０、上記ドキュメントデータを、普段方式でワードプロセッサドキュメントに灌ぎ込んで、配置と植字を行う。
【００７２】
ステップＣ６０、一ページ目の内容或いは前回保存する時にカーソルがあるページの内容を表示する。
その中のステップＢ１０は、図６が表示された技術方案のファイルのヘッダ情報を読み込み、即ちリードオンリー形式で組版ファイルを開くことである。本技術方案は、ユーザーに二つの方式で組版ファイルを開かせる。本発明にかかる組版ファイルを開く方法の拡張である、編集方式で組版ファイルを開くとき、その編集方式は、組版ファイルのドキュ
メントデータのみ取り込み、標準植字の流れで、上記ドキュメントデータをドキュメントに灌ぎ込んで、植字と内容表示を行い、ユーザーが文字或いはオブジェクトを勝手に編集できます。リードオンリー方式で組版ファイルを開くとき、図６で述べた技術方案の通りです。
【００７３】
同様に、図７の開く方式で、上記ドキュメントデータの読込と表示も多種方式で実現できて、図７はその中の一つである。実際に、ワードプロセッサソフトにロードする方法も採用できますし、ワードプロセッサソフトを使って、直接ドキュメントデータを開くことができる。ここでは、一つずつ説明しません。
【００７４】
最後に説明すべきものは、上記実施例は本発明に係る技術を説明するだけのものであり、本発明に係る技術案を限定するものではない。上記具体的な実施形態を挙げて、本発明に対して説明したが、当業者であれば、本発明の技術形態に対して各種態様の修正或いは交替を行うことができ、本発明の技術形態を逸脱しない精神及び範囲は、本発明の技術的範囲に属することは明白である。
【図面の簡単な説明】
【００７５】
【図１】図１は本発明にかかるコンピュータの組版ファイルを作成する方法のフローチャートである。
【図２】図２は本発明にかかるコンピュータの組版ファイルを作成する方法の作成方法一のフローチャートである。
【図３】図３は本発明にかかるコンピュータの組版ファイルを作成する方法の作成方法二のフローチャートである。
【図４】図４は本発明にかかる写真が組版ファイルに予め保存するフローチャートである。
【図５】図５は本発明にかかるコンピュータの組版ファイルを開く方法のフローチャートである。
【図６】図６は本発明にかかるコンピュータの組版ファイルを開く方法の開くモード１のフローチャートである。
【図７】図７は本発明にかかるコンピュータの組版ファイルを開く方法の開くモード２のフローチャートである。
【図１】
2009522626.tif 000003
【図２】
2009522626.tif 000004
【図３】
2009522626.tif 000005
【図４】
2009522626.tif 000006
【図５】
2009522626.tif 000007
【図６】
2009522626.tif 000008
【図７】
2009522626.tif 000009
【国際調査報告】
2009522626.tif 000010
2009522626.tif 000011
2009522626.tif 000012
2009522626.tif 000013